(57)【要約】【課題】カプセル型商品を大型としても、軽い力で撹拌を良好に行え、カプセル型商品が排出されない虞を低減できる自動販売機の商品排出装置の提供。【解決手段】カプセル型商品が収納されるケース部７０と、ケース部７０の下端側に配置され、商品排出孔４１が形成された回転盤配置部４０と、複数の商品収容孔２１が形成され、回転盤配置部４１の上面側に回転可能に配置された回転盤２０と、回転盤２０の中央部２２に斜め上方に向かって立設された中央撹拌用ばね３１とを備え、回転盤２０が回転盤配置部４０に対して回転する過程で、一の商品収容孔２１と商品排出孔４１とが重なって商品が通過可能になったとき、他の商品収容孔２１は商品が通過不能に閉塞され、回転盤２０における回転中心から平面視において回転盤２０の半径方向にその半径の２分の１以上離れた複数の部位に、それぞれ周辺撹拌用ばね３２が立設されている自動販売機１の商品排出装置１０。【選択図】図１
2015156126.tif 000002
【特許請求の範囲】
【請求項１】
略球状のカプセルに収容された状態の商品を販売するための自動販売機の商品排出装置であって、
前記商品が収納されるケース部と、
前記ケース部の下端側に配置され、前記商品を外部に排出するための商品排出路の入口となる商品排出孔が形成された回転盤配置部と、
複数の商品収容孔が形成され、前記回転盤配置部の上面側に、外周がなす円形状の中心を回転中心として回転可能に配置された回転盤と、
前記回転盤の中央部に斜め上方に向かって立設された中央弾性棒状部材と、
を備え、
前記回転盤が前記回転盤配置部に対して回転する過程で、一の前記商品収容孔と前記商品排出孔とが重なって前記商品が通過可能になったとき、他の前記商品収容孔は前記商品が通過不能に少なくとも一部が閉塞されるように構成され、
前記回転盤における前記回転中心から平面視において前記回転盤の半径方向に該半径の２分の１以上離れた複数の部位に、それぞれ、周辺弾性棒状部材が立設されていることを特徴とする自動販売機の商品排出装置。
【請求項２】
前記ケース部は、少なくとも下部が上下方向を軸方向とした円筒形状をなしていることを特徴とする請求項１記載の自動販売機の商品排出装置。
【請求項３】
前記ケース部内に、選別用弾性棒状部材が、平面視において前記回転中心を通って左右方向に延びる位置から前記商品排出孔側にずらされて、前記回転盤の回転時に前記中央弾性棒状部材に接触しないように、横架され、
前記選別用弾性棒状部材の配置高さが変更可能とされ、
前記各周辺弾性棒状部材が着脱可能とされていることを特徴とする請求項１又は２記載の自動販売機の商品排出装置。
【請求項４】
前記商品収容孔に着脱可能に嵌合されて前記商品収容孔の開口面積を縮小する調整部材を備えることを特徴とする請求項３記載の自動販売機の商品排出装置。
【請求項５】
請求項１〜４のいずれか１項に記載の商品排出装置を備えることを特徴とする自動販売機。
【発明の詳細な説明】
【技術分野】
【０００１】
本発明は、略球状（卵形も含む。）のカプセルに収容された状態の商品（以下、「カプセル型商品」という。）を販売するための小型の自動販売機において、ケース内に収納されたカプセル型商品をケース外に排出する商品排出装置に関する。
【背景技術】
【０００２】
従来のカプセル型商品の自動販売機の商品排出装置は、特許文献１の図１７に示すように、円盤状のドラムの回転軸付近に、ドラムの回転に伴ってカプセル型商品を撹拌するための撹拌用ばねが、斜め上方に向かって立設され、商品排出路の上方であってドラムの少し上に、選別用ばねが横架されている。また、ドラムの周縁部下端には、硬貨選別装置のハンドルの軸に取り付けられたギアと噛合するラックギアが形成されて、ハンドルを回転させることによりドラムが回転するように構成されている。そして、硬貨を硬貨選別装置に投入することにより、ハンドルが所定角度回転可能とされ、このハンドルの所定角度の回転に伴いドラムが所定角度回転して、ドラムの商品排出開口に収容された１個のカプセル型商品のみが選別用ばねの下方を通過し、商品排出路の上方に至って商品排出路から排出されるように構成されている。
【先行技術文献】
【特許文献】
【０００３】
【特許文献１】特開平８−２１２４３８号公報（図１７）
【発明の概要】
【発明が解決しようとする課題】
【０００４】
一般に販売されているカプセル型商品は、直径５０ｍｍ程度の略球形をなしているものが多いが、より大型の商品を販売するために、直径６５ｍｍあるいは７５ｍｍといった大径のカプセルを用いることも考えられる。しかし、上記のような従来の自動販売機では、カプセルを直径７５ｍｍのものにした場合に、図１０の符号Ｃ１、Ｃ２、Ｃ３に示すように、複数のカプセル型商品が互いに押圧し合って、回転盤（ドラムに相当。）１００の商品収容孔（商品排出開口に相当。）１０１の上にブリッジを掛けたようになり、これを良好に撹拌できないため、カプセル型商品が商品収容孔１０１に収容されない虞があった。また、カプセルを直径６５ｍｍのものにした場合には、図１１に示すように、回転盤１００の回転を繰り返すうちに、カプセル型商品が撹拌用ばね１０２が届かないケースの周壁部に沿って積み重なって、撹拌が良好にできず、やはり、カプセル型商品が商品収容孔１０１に収容されない虞があった。すなわち、カプセル型商品を大型とした場合には、撹拌が良好になされないため、回転盤１００の商品収容孔１０２にカプセル型商品が収容されず、例えば正規の硬貨を投入しハンドルを回転させるという正規の排出操作を行ったにもかかわらずカプセル型商品が排出されない虞があった。なお、カプセル型商品を大型とした場合に撹拌が良好になされない理由としては、カプセル型商品の重量が重くなること、及び、ケース壁部との接触面積やカプセル型商品同士の接触面積が大きくなることが考えられる。かかる問題に対処するため、回転盤１００の回転軸付近に設けた撹拌用ばね１０２を長くすると、ハンドルが重くなって（すなわち、ハンドルに大きな力を加えなければ回転できず）、主に子供が使用するカプセル型商品の自動販売機には利用し難いという問題があった。
【０００５】
本発明は、上述した問題を解決するものであり、カプセル型商品を大型とした場合であっても、軽い力で撹拌を良好に行え、正規の排出操作を行ったにもかかわらずカプセル型商品が排出されない虞を低減可能な自動販売機の商品排出装置及び自動販売機を提供することを目的とする。
【課題を解決するための手段】
【０００６】
本発明の自動販売機の商品排出装置は、カプセル型商品を販売するための自動販売機の商品排出装置であって、前記商品が収納されるケース部と、前記ケース部の下端側に配置され、前記商品を外部に排出するための商品排出路の入口となる商品排出孔が形成された回転盤配置部と、複数の商品収容孔が形成され、前記回転盤配置部の上面側に、外周がなす円形状の中心を回転中心として回転可能に配置された回転盤と、前記回転盤の中央部に斜め上方に向かって立設された中央弾性棒状部材と、を備え、前記回転盤が前記回転盤配置部に対して回転する過程で、一の前記商品収容孔と前記商品排出孔とが重なって前記商品が通過可能になったとき、他の前記商品収容孔は前記商品が通過不能に少なくとも一部が閉塞されるように構成され、前記回転盤における前記回転中心から平面視において前記回転盤の半径方向に該半径の２分の１以上離れた複数の部位に、それぞれ、周辺弾性棒状部材が立設されていることを特徴とする。
【０００７】
これによれば、中央弾性棒状部材を長くしなくても、周辺弾性棒状部材によってケース部内の周辺部のカプセル型商品が撹拌されるので、カプセル型商品を大型とした場合であっても、軽い力で撹拌を良好に行うことができて、回転盤の商品収容孔にカプセル型商品が収容されない虞を低減でき、正規の排出操作を行ったにもかかわらずカプセル型商品が排出されない虞を低減可能である。
【０００８】
ここで、前記ケース部は、少なくとも下部が、上下方向を軸方向とした円筒形状をなしていることが好ましい。
【０００９】
回転盤付近に配置されているカプセル型商品が、ケース部の角部に逃げ込むことがなくなり、より良好に撹拌可能となるからである。
【００１０】
また、前記ケース部内に、選別用弾性棒状部材が、平面視において前記回転中心を通って左右方向に延びる位置から前記商品排出孔側にずらされて、前記回転盤の回転時に前記中央弾性棒状部材に接触しないように、横架され、前記選別用弾性棒状部材の配置高さが変更可能とされ、前記各周辺弾性棒状部材が着脱可能とされていることが好ましい。
【００１１】
これによれば、カプセルが大径の場合には、選別用弾性棒状部材の配置高さを、回転盤の回転時に選別用弾性棒状部材の下方を各周辺弾性棒状部材が通過可能な高さとして、周辺弾性棒状部材を取り付けた状態で使用することにより、カプセル型商品を良好に撹拌できるとともに、選別用弾性棒状部材により、商品収容孔に収容されたもの以外のカプセル型商品が商品排出孔の方に送られることを防止できるため、１回のハンドル操作で複数のカプセル型商品が排出されたり、複数のカプセル型商品が一度に商品排出孔に送られることにより商品排出路が詰まったりする虞を低減できる。また、カプセルが小径の場合には、周辺弾性棒状部材を取り外して選別用弾性棒状部材の配置高さを低くすることにより、回転盤の回転時に周辺弾性棒状部材が選別用弾性棒状部材と干渉する虞をなくすとともに、選別用弾性棒状部材の配置高さをカプセル型商品の大きさに合ったものとして、商品収容孔に収容されたもの以外のカプセル型商品が商品排出孔に送られることを防止できる。なお、カプセルが小径の場合には、周辺弾性棒状部材を取り外しても、撹拌を良好に行えない虞は少ない。したがって、同じ自動販売機を、大型のカプセル型商品の販売に用いたり、小型のカプセル型商品の販売に用いたりすることができる。
【００１２】
また、前記商品収容孔に着脱可能に嵌合されて前記商品収容孔の開口面積を縮小する調整部材を備えることが好ましい。
【００１３】
これによれば、商品収容孔の開口面積を容易にカプセルの大きさに合わせることができ、商品収容孔に複数のカプセル型商品が収容されたり、カプセル型商品が１個も収容されなかったりする虞を低減できる。
【００１４】
本発明の自動販売機は、本発明の商品排出装置を備えることを特徴とする。
【発明の効果】
【００１５】
本発明によれば、カプセル型商品を大型とした場合であっても、軽い力で撹拌を良好に行え、正規の排出操作を行ったにもかかわらずカプセル型商品が排出されない虞を低減可能である。
【図面の簡単な説明】
【００１６】
【図１】本発明の一実施形態に係る自動販売機の斜視図である。
【図２】同自動販売機の正面図である。
【図３】同自動販売機の側面図である。
【図４】同自動販売機のケース部、屋根状部材及び選別用ばねを外した状態の平面図である。
【図５】同自動販売機の回転盤、回転盤配置部及びハンドルの分解斜視図である。
【図６】同自動販売機の第１調整部材の斜視図である。
【図７】同自動販売機の第２調整部材の斜視図である。
【図８】同自動販売機を小型のカプセル型商品用とした状態の斜視図である。
【図９】図８の自動販売機のケース部、屋根状部材及び選別用ばねを外した状態の平面図である。
【図１０】従来の自動販売機の問題点を説明するための要部平面図である。
【図１１】従来の自動販売機の問題点を説明するための要部平面図である。
【発明を実施するための形態】
【００１７】
以下、本発明の一実施形態を図面に基づいて説明する。図１〜３に示すように、実施形態の自動販売機１は、カプセル型商品を販売するためのものであり、ベース部８０と、ベース部８０の上端側に配置された商品排出装置１０と、ベース部８０に取り付けられた硬貨選別装置９０とを備えている。自動販売機１は、７５ｍｍ径、６５ｍｍ径、及び、５０ｍｍ径のカプセル型商品に対応可能なものである。
【００１８】
ベース部８０は、上下方向における中央部が縮径された中空の略鼓形状をなし、底部は閉塞され、上端は開放されている。ベース部８０の正面下部には、ベース部８０内に設けられた商品排出路８２の出口となる商品排出口８１が開口し、商品排出口８１の下縁からは商品受け皿８３が前方に突設されている。
【００１９】
ベース部８０の商品排出口８１の上方には、硬貨選別装置９０が取り付けられている。硬貨選別装置９０は、硬貨投入口９２とハンドル９１とを備え、周知の構成のものであるから詳細には説明しないが、上記特許文献１に記載されている硬貨選別装置と同様に、正規の硬貨を硬貨投入口９２に投入すると、ハンドル９１が所定方向（本実施形態では、時計回り）に所定角度回転可能となり、投入された硬貨はベース部８０内に設けられた硬貨収納箱（図示せず。）に収納され、ベース部８０の側壁に設けられた開閉部８４から取り出される。また、図５に示すように、ハンドル９１から後方に延設された回転軸には、後述する回転盤２０に形成されているラックギア２３と噛合するギア９３が取り付けられており、ハンドル９１を回転することにより、回転盤２０が回転するように構成されている。
【００２０】
商品排出装置１０は、図１、４に示すように、ケース部７０、回転盤２０、回転盤配置部４０、中央撹拌用ばね３１、３つの周辺撹拌用ばね３２、選別用ばね３３、及び、屋根状部材６０を備えて構成されている。
【００２１】
ケース部７０は、蓋体７５及び周壁部７１からなり、周壁部７１は、透明な合成樹脂製で、内径が約２９３ｍｍの円筒形状をなし、その円筒形状の軸方向が上下方向となるように、周壁部７１の下端がベース部８０の上端開口部に嵌合されている。すなわち、ケース部７０の下部７６は、上下方向を軸方向とした円筒形状をなしている。なお、ここでは、下部７６は、ケース部７０の中央撹拌用ばね３１の高さ以下の部分とする。周壁部７１の上端開口部には、合成樹脂製のドーム状の蓋体７５が着脱可能に嵌合されている。
【００２２】
回転盤配置部４０は、図５に示すように、円形状の底壁部４７と、底壁部４７の周囲から立ち上がる周壁部４８と、周壁部４８の上端から外側に広がって円環状をなす縁部４９とを有した円形状の皿状に形成されている。回転盤配置部４０は、図１に示すように、ベース部８０の上端部内に嵌合されて固定されることにより、ケース部７０の下端側に配置されている。
【００２３】
回転盤配置部４０の底壁部４７には、後部に円形状の商品排出孔４１が形成されている。商品排出孔４１は、商品排出路８２の入口となる。回転盤配置部４０の中央部には、上方に突出する円筒状の軸部４４が形成されている。回転盤配置部４０の前部には、周壁部４８から底壁部４７にかけて、切欠き部４６が形成され、切欠き部４６の下方には、ハンドル９１の回転軸に取り付けられたギア９３が配置される。縁部４９は、回転盤配置部４０の中央に向かって下がるように傾斜され、縁部４９の後部側には、左右対称となる２箇所に棒状の柱部材４３が立設されている。
【００２４】
回転盤２０は、直径（本実施形態では、約２４３ｍｍ）が回転盤配置部４０の底壁部４７の直径より僅かに小さくされた円形状をなし、回転盤配置部４０の底壁部４７と周壁部４８とにより形成される円形状の凹部４５に、周壁部４８との間に若干のクリアランスを有した状態で嵌合されて、回転盤配置部４０の上面４２側に配置される。
【００２５】
図４に示すように、回転盤２０には、３個の略三角形状の商品収容孔２１が、平面視において回転盤２０の外周がなす円形状の中心Ｏに対して、放射状に配置されて形成されている。平面視において、各商品収容孔２１の外側の縁部２１ａは、回転盤２０の外周縁に沿った円弧状をなし、縁部２１ａの両端から中心Ｏに向かって延びる縁部２１ｂ、２１ｂは、互いに滑らかに円弧を描くように接続されている。
【００２６】
回転盤２０の中央部２２は、上部が上方に向かって円筒状に突出するとともに、下部が下方に向かって上部よりも拡径した円筒状に突出し、下方が開放されている。回転盤２０を凹部４５に嵌合したとき、回転盤２０の中央部２２は、回転盤配置部４０の軸部４４に回転可能に嵌合され、回転盤２０は、中心Ｏを回転中心（以下、「回転中心Ｏ」と表記する。）として回転盤配置部４０に支持されながら回転可能とされる。凹部４５に嵌合された回転盤２０は、回転盤配置部４０の縁部４９に内側に突出するように取り付けられた複数の外れ止め部材５０により、凹部４５から外れることを防止される。
【００２７】
商品排出孔４１の開口面積は、商品収容孔２１の開口面積よりも小さくされ、回転盤２０が回転盤配置部４０に対して回転する過程で、図４に示すように、１つの商品収容孔２１と商品排出孔４１とが重なってカプセル型商品が通過可能になったとき、他の２つの商品収容孔２１、２１は回転盤配置部４０の底壁部４７により閉塞される。
【００２８】
回転盤２０の中央部２２には、中央撹拌用ばね３１が立設されている。中央撹拌用ばね３１は、中央撹拌用弾性棒状部材に相当し、コイルばねからなり、中央部２２から斜め上方に向かって立設されている。中央撹拌用ばね３１の先端部は、その先端部よりも下の部分が傾斜している側と同じ側に、さらに屈曲されている。
【００２９】
図５に示すように、回転盤２０の商品収容孔２１同士の間の仕切り部２５には、それぞれ取付凹部２４が形成されている。各取付凹部２４は、平面視において回転盤２０の回転中心Ｏから回転盤２０の半径方向に回転盤２０の半径ｒ（図４参照）の２分の１以上（実施形態では、半径ｒの約３分の２）離れた部位に形成されている。各取付凹部２４には、周辺撹拌用ばね３２が螺子止めにより着脱可能に立設される。仕切り部２５は、回転盤２０を３等分するように放射状に設けられているため、周辺撹拌用ばね３２も回転盤２０を３等分する位置に取り付けられる。各周辺撹拌用ばね３２は、周辺撹拌用弾性棒状部材に相当し、コイルばねからなり、中央撹拌用ばね３１より短く直線状に形成されて、下端部よりも上端部が外側に位置するように取付凹部２４から斜め上方に向かって立設される。
【００３０】
回転盤配置部４０の柱部材４３、４３には、コイルばねからなる選別用ばね３３の両端が取り付けられて、選別用ばね３３は左右方向かつ略水平方向に沿って横架されている。選別用ばね３３は、選別用弾性棒状部材に相当する。上述したように、柱部材４３、４３は、回転盤配置部４０の縁部４９の後部側、すなわち、回転盤配置部４０の商品排出孔４１が形成されている側に設けられていることから、選別用ばね３３は、平面視において回転盤２０の回転中心Ｏを通って左右方向に延びる位置から商品排出孔４１側にずれて配置されることとなる。このずれは、回転盤２０の回転時に選別用ばね３３が中央撹拌用ばね３１に接触しない程度とされている。
【００３１】
各柱部材４３は、選別用ばね３３の両端が係止される複数の刻み目（図示せず。）を有し、いずれの刻み目に係止するかにより、カプセル型商品の大きさに合わせて、選別用ばね３３の配置高さを変更可能とされている。本実施形態では、刻み目は２つ形成され、位置が高い方から高位、低位と表記すれば、選別用ばね３３を高位の刻み目に係止したときは、選別用ばね３３の下方を、商品収容孔２１に収容された７５ｍｍ径の大型のカプセル型商品及び６５ｍｍ径の中型のカプセル型商品が通過可能であり、低位の刻み目に係止したときは、５０ｍｍ径の小型のカプセル型商品が通過可能である。また、高位の刻み目に選別用ばね３３を係止した場合には、回転盤２０の回転時に、各周辺撹拌用ばね３２は選別用ばね３３の下方を通過可能であるが、低位の刻み目に選別用ばね３３を係止した場合には、各周辺撹拌用ばね３２は選別用ばね３３の下方を通過不能となる。すなわち、選別用ばね３３の配置高さは、回転盤２０の回転時に選別用ばね３３の下方を各周辺撹拌用ばね３２が通過不能な高さから通過可能な高さまで、変更可能とされている。なお、各周辺撹拌用ばね３２は、選別用ばね３３を高位としたときでも、回転盤２０の回転時に選別用ばね３３と干渉するが、撓むことにより選別用ばね３３の下方を通過可能である。一方、選別用ばね３３を低位としたときは、各周辺撹拌用ばね３２との干渉が大きくなり、ハンドルが重くなることから、後述するように、各周辺撹拌用ばね３２を取り外すこととする。
【００３２】
屋根状部材６０は、図１〜３に示すように、回転盤配置部４０の縁部４９に取り付けられて、回転盤２０の選別用ばね３３より後側の部分を覆っている。詳しくは、屋根状部材６０は、平面視において略半月形状をなす上壁部６２と、上壁部６２の円弧状の縁から下方に延設されて略半円筒面をなす側壁部６１とからなり、側壁部６１がケース部７０の周壁部７１に沿うように縁部４９に取り付けられている。上壁部６２は、若干凹むように湾曲しつつ前側が下がるように傾斜している。上壁部６２の前縁６２ａの位置は、選別用ばね３３の配置高さを低位とした場合（すなわち、上壁部６２の前縁６２ａと選別用ばね３３との間を最も広げた場合）であっても、上壁部６２の前縁６２ａと選別用ばね３３との間をカプセル型商品が通過しないような位置とされている。すなわち、カプセル型商品は、選別用ばね３３の下方を通過しなければ、屋根状部材６０の下方には入り込めない。
【００３３】
また、図５に示すように、回転盤２０の周辺部下端には、ラックギア２３が形成されている。詳しくは、ラックギア２３は、各商品収容孔２１の縁部２１ａの下端部を含む円形状に形成されている。そして、回転盤２０を回転盤配置部４０の凹部４５に嵌合したとき、ラックギア２３が切欠き部４６から露出し、上述したように切欠き部４６の下方に配置されたギア９３と噛合する。
【００３４】
自動販売機１は、商品排出装置１０に用いられる部材として、図６に示す第１調整部材５１、及び、図７に示す第２調整部材５２を、それぞれ３個備えている。第１調整部材５１及び第２調整部材５２は、商品収容孔２１の開口面積を縮小するものであり、それぞれ略Ｕ字状をなして、外壁部に突設された突出部５１ａ、５２ａを、商品収容孔２１の縁部２１ｂに形成された凹部２１ｃ（図５参照）に嵌合することにより、商品収容孔２１に着脱可能に嵌合される。図９は、各商品収容孔２１に第１調整部材５１を嵌合した状態を示し、この図に示すように、第１調整部材５１を嵌合した場合には、商品収容孔２１の開口面積は、商品排出孔４１の開口面積よりも小さくなる。
【００３５】
以上のように構成された自動販売機１の商品排出装置１０の作用・効果について説明する。
【００３６】
７５ｍｍ径の大型のカプセル型商品を販売する場合、第１調整部材５１、第２調整部材５２は用いず、各周辺撹拌用ばね３２を取り付け、選別用ばね３３は高位とした状態で、ケース部７０内にカプセル型商品を収納する。
【００３７】
カプセル型商品を購入しようとする者が、正規の排出操作、すなわち、正規の硬貨を硬貨投入口９２に投入してハンドル９１を時計回りに所定角度回転させる操作を行うと、ハンドル９１のギア９３にラックギア２３が噛合しているため、回転盤２０は平面視において反時計回りに所定角度（本実施形態では、１２０°）回転する。このとき、中央撹拌用ばね３１によって中央部２２付近のカプセル型商品が撹拌される。また、各周辺撹拌用ばね３２の位置を、平面視において回転中心Ｏから回転盤２０の半径方向に半径ｒの２分の１以上離れた位置としているため、各周辺撹拌用ばね３２によって中央部２２から離れた周辺部のカプセル型商品が撹拌される。したがって、撹拌が良好に行われる。また、周辺部のカプセル型商品を撹拌するために中央撹拌用ばね３１を長くする必要がないため、ハンドルが重くならずに、軽い力でハンドルを回転できる。
【００３８】
さらに、ケース部７０の下部７６が円筒状とされているため、例えば下部７６を直方体形状とした場合のように角部にカプセル型商品が逃げ込むことがなくなり、カプセル型商品をより良好に撹拌できる。
【００３９】
なお、下部７６の直径（内径）と回転盤２０の直径との差は、本実施形態では、約５０ｍｍであり、最も小さいカプセル型商品の直径と略同等である。このように、下部７６の内径と回転盤２０の直径との差を、例えば、自動販売機１で販売するカプセル型商品のうち最も小径のものの直径と略同等かそれより小さくすれば、回転盤２０の外側にカプセル型商品が逃げ込み難くなり、より撹拌が良好に行える。
【００４０】
また、本実施形態では、下部７６の内径と回転盤配置部４０の直径との差は僅かとされて、周壁部７１のすぐ内側に回転盤配置部４０の縁部４９が配置されており、しかも、縁部４９は回転盤配置部４０の中央に向かって下がるように傾斜していることから、周壁部７１付近のカプセル型商品は縁部４９上を転動して回転盤２０側に移動し易い。
【００４１】
そして、上述したように回転盤２０の回転に伴って撹拌が良好に行われるため、カプセル型商品が商品収容孔２１に収容され易くなり、商品収容孔２１にカプセル型商品が収容されない虞を低減でき、正規の排出操作を行ったにもかかわらずカプセル型商品が排出されない虞を低減できる。商品収容孔２１に収容されたカプセル型商品は、選別用ばね３３の右側部分の下方を通過する。このとき、選別用ばね３３は高位とされているため、各周辺撹拌用ばね３２は選別用ばね３３の下方を通過する。また、商品収容孔２１に収容されたカプセル型商品の上に積み重なっていたカプセル型商品や、仕切り部２５の上に乗ったカプセル型商品等、商品収容孔２１に収容されていないカプセル型商品は、選別用ばね３３の下方を通過できない。したがって、商品収容孔２１に収容された１個のカプセル型商品のみが、屋根状部材６０の下方に入り、商品収容孔２１と商品排出孔４１とが重なったとき、商品収容孔２１から商品排出孔４１に落下し、商品排出路８２を通って商品排出口８１から外部に排出されることとなる。
【００４２】
なお、１つの商品収容孔２１と商品排出孔４１とが重なってカプセル型商品が通過可能となったとき、他の２つの商品収容孔２１は回転盤配置部４０により閉塞されるので、他の２つの商品収容孔２１からカプセル型商品が排出されることはない。商品排出孔４１と重なった商品収容孔２１に対して時計回り方向（すなわち、回転盤２０の回転方向と反対方向）における隣の商品収容孔２１に収容されているカプセル型商品は、次に正規の排出操作がされたとき、そのカプセル型商品が収容されている商品収容孔２１と商品排出孔４１とが重なることにより、外部に排出される。このようにして、正規の排出操作１回毎に、略確実に１個のカプセル型商品が排出されることとなる。
【００４３】
また、屋根状部材６０が、回転盤２０の選別用ばね３３より後側の部分、すなわち、商品排出孔４１が配置されている部分の上方を覆い、上述したように、カプセル型商品は、選別用ばね３３の下方を通過しなければ、屋根状部材６０の下方には入り込めないため、選別用ばね３３の下方を通過しなかった他のカプセル型商品が商品排出孔４１から排出されることはない。なお、屋根状部材６０の上壁部６２の傾斜により、上壁部６２の上に乗ったカプセル型商品は、上壁部６２から回転盤２０側に移動し易くなっている。
【００４４】
次に、６５ｍｍ径の中型のカプセル型商品を販売する場合、第２調整部材５２を各商品収容孔２１に嵌合し、各周辺撹拌用ばね３２を取り付け、選別用ばね３３は高位とした状態で、ケース部７０内にカプセル型商品を収納する。そして、上記大型のカプセル型商品の場合と同様に、ハンドルを回転すると、軽い力で撹拌を良好に行うことができ、商品収容孔２１にカプセル型商品が収容されない虞を低減できる。また、各商品収容孔２１の開口面積が縮小されてカプセル型商品の大きさに合ったものとされているため、商品収容孔２１に複数のカプセル型商品が収容される虞が低減され、正規の排出操作によりカプセル型商品が１個のみ排出されることの確実性を高めることができる。
【００４５】
次に、５０ｍｍ径の小型のカプセル型商品を販売する場合、図８、９に示すように、第１調整部材５１を各商品収容孔２１に嵌合し、各周辺撹拌用ばね３２を取り外し、選別用ばね３３は低位とした状態で、ケース部７０内にカプセル型商品を収納する。そして、正規の排出操作を行うと、小型のカプセル型商品の場合には、重量が軽く、ケース壁部との接触面積やカプセル型商品同士の接触面積が小さいことから、カプセル型商品が動き易く、したがって、中央撹拌用ばね３１のみでも撹拌が良好に行える。また、各商品収容孔２１の開口面積は、縮小されてカプセル型商品の大きさに合ったものとされているため、商品収容孔２１には１個のカプセル型商品が収容されることとなり、その１個のカプセル型商品が選別用ばね３３の下方を通過して、商品収容孔２１と商品排出孔４１とが重なったとき、商品排出孔４１から排出されることとなる。
【００４６】
なお、周辺撹拌用ばね３２を取り外して選別用ばね３３の配置高さを低位とすることにより、回転盤２０の回転時に周辺撹拌用ばね３２と選別用ばね３３との干渉が大きくなってハンドルが重くなる虞をなくすとともに、商品収容孔２１に収容されたもの以外のカプセル型商品が選別用ばね３３の下方を通過できなくなるため、複数のカプセル型商品が同時に商品排出孔４１から排出されることを防止できる。
【００４７】
このように、調整部材５１、５２の着脱、各周辺撹拌用ばね３２の着脱、及び、選別用ばね３３の高さの変更により、商品排出装置１０は、大型のカプセル型商品の販売にも、小型のカプセル型商品の販売にも使用可能であり、正規の排出操作によりカプセル型商品が１個のみ排出されることの確実性を高めることができる。
【００４８】
なお、中央撹拌用ばね３１、周辺撹拌用ばね３２、及び、選別用ばね３３は、コイルばねに限らず、弾性を有した棒状部材であればよい。カプセル型商品の動きに柔軟に対応できるからである。また、中央撹拌用ばね３１及び周辺撹拌用ばね３２は、途中で屈曲させた形状または直線形状のいずれでもよく、曲線形状であってもよい。また、中央撹拌用ばね３１を複数設けてもよい。周辺撹拌用ばね３２の配置位置も変更可能であり、回転中心Ｏから各周辺撹拌用ばね３２までの距離を、全て同一とする必要もない。また、各周辺撹拌用ばね３２は、中央撹拌用ばね３１よりも短くすることが、ハンドルを重くしないため、及び、選別用ばね３３の高さの自由度を高めるためには好ましいが、中央撹拌用ばね３１が短い場合には、周辺撹拌用ばね３２と中央撹拌用ばね３１とが同等の長さとなる場合もあり得る。すなわち、これらの長さは適宜変更可能である。
【００４９】
また、屋根状部材６０を設けず、例えば選別用ばね３３の位置を上記実施形態より後方としたり、選別用ばね３３を複数本並設したりすることにより、１個のみのカプセル型商品を商品排出孔４１側に送ることは可能である。すなわち、屋根状部材６０を設けるか否かは任意である。逆に、選別用ばね３３を、設けるか否かも任意である。例えば、屋根状部材６０の形状の変更により、商品収容孔２１に収容されたカプセル型商品を１個のみ、その他のカプセル型商品から区分して、屋根状部材６０の下方に送り込むことが可能だからである。また、カプセル型商品の大きさによって、屋根状部材６０を交換可能としてもよい。また、選別用ばね３３を設ける場合には、必ずしも回転盤２０を横切るように設ける必要はなく、本実施形態であれば右側のみとする等、少なくとも商品排出孔４１に対し商品収容孔２１に収容されたカプセル型商品が進んで行く側に設ければよい。
【００５０】
また、ケース部７０は、撹拌の良好性向上のためには、少なくとも回転盤２０に近い側である下部７６が、上下方向を軸方向とした円筒形状であることが好ましいが、この点を考慮しなければ、勿論、例えば直方体形状等、他の形状であってもよい。また、ケース部７０全体をドーム状（半球状）としてもよい。角部のない形状であるので、撹拌の良好性が向上するからである。
【００５１】
また、商品排出装置１０では、回転盤２０が回転盤配置部４０に対して回転する過程で、１つの商品収容孔２１と商品排出孔４１とが重なってカプセル型商品が通過可能になったとき、他の２つの商品収容孔２１は、それぞれ、全部（開口面全面）が閉塞されたが、カプセル型商品が通過不能に少なくとも一部が閉塞されればよい。例えば、回転盤配置部４０に、１つの商品収容孔２１と商品排出孔４１とが重なってカプセル型商品が通過可能になったときに他の２つの商品収容孔２１と重なる孔があったとしても、カプセル型商品が通過しない大きさの重なりであればよいし、回転盤配置部４０以外の部材によりカプセル型商品の通過が阻止されていてもよい。すなわち、商品収容孔２１の閉塞は、必ずしも回転盤配置部４０によるものでなくてもよい。
【００５２】
また、カプセルの直径は上述したものには限らないことは勿論であり、例えば、小径のカプセルとして４８ｍｍ径のものを用いてもよい。
【符号の説明】
【００５３】
１…自動販売機
１０…商品排出装置
２０…回転盤
２１…商品収容孔
３１…中央撹拌用ばね（中央弾性棒状部材）
３２…周辺撹拌用ばね（周辺弾性棒状部材）
３３…選別用ばね（選別用弾性棒状部材）
４０…回転盤配置部
４１…商品排出孔
５１…第１調整部材
５２…第２調整部材
７０…ケース部
７６…下部
【図１】
2015156126.tif 000003
【図２】
2015156126.tif 000004
【図３】
2015156126.tif 000005
【図４】
2015156126.tif 000006
【図５】
2015156126.tif 000007
【図６】
2015156126.tif 000008
【図７】
2015156126.tif 000009
【図８】
2015156126.tif 000010
【図９】
2015156126.tif 000011
【図１０】
2015156126.tif 000012
【図１１】
2015156126.tif 000013